【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
センサと関連したデータ処理装置によって実行される方法であって、前記センサは、マトリクス構造に配向された複数のトレースラインと、フロントエンドインターフェースと、前記フロントエンドインターフェースと結合された複数の送信器と、複数の受信器とを備え、それぞれの送信器は、それぞれのトレースラインの第１の位置に対応してこれと結合され、それぞれの受信器は、前記それぞれのトレースラインの第２の位置に結合される方法において、
直交波形系列を有する直交励起波形を求めるステップであって、前記直交励起波形は、互いに直交し、フィードバック抵抗およびフィードバックキャパシタの時定数より長い積分期間を定め、該フィードバック抵抗および該フィードバックキャパシタはトランスインピーダンス増幅器の入力と出力との間に並列に接続された、ステップと、
積分時間に等しい時間、前記送信器のうちの少なくとも２つがそれぞれの直交波形系列を送信する構成となるように、前記送信器のうちの少なくとも２つのそれぞれで、前記直交励起波形のうちの１つを同時に送信するステップであって、送信する前記ステップは、前記センサのすべての送信器より少ない送信器で行なわれ、前記積分時間の長さは、前記直交励起波形のうちの前記１つを同時に送信する送信器の数に基づき求められ、前記積分時間の前記長さは同時に送信する送信器の前記数が増加するにつれ増加する、ステップと、
前記直交励起波形のうちの少なくとも２つを、前記受信器のうちの少なくとも２つで受信するステップであって、前記少なくとも２つの直交励起波形のそれぞれは、前記それぞれの受信器のうちの１つで受信される、ステップと、
少なくとも１つの予想される受信波形に関する情報を受信するステップと、
前記少なくとも２つの受信器のそれぞれについて、受信した前記励起波形の、前記予想される受信波形に対する相関を取るステップと
を含むことを特徴とする方法。
【請求項２】
請求項１に記載の方法であって、前記センサは容量型タッチセンサを備え、前記直交励起波形は前記センサの雑音に対して直交することを特徴とする方法。
【請求項３】
請求項１に記載の方法であって、前記マトリクス構造はｎ列のトレースラインを備え、前記送信器のそれぞれの同時通信は前記積分時間の中で生じ、前記方法は、前記送信器のうちの少なくとも２つからの同時通信の数の関数として、積分時間の数を求めるステップをさらに含むことを特徴とする方法。
【請求項４】
請求項１に記載の方法であって、前記センサは、少なくとも液晶ディスプレイと相互作用する能力を有するように、前記液晶ディスプレイに対する物理的近傍内に配置されるように構成され、前記液晶ディスプレイは、約３０ｋＨｚから１３５ｋＨｚの走査線周波数を含むことを特徴とする方法。
【請求項５】
請求項１に記載の方法であって、符号分割多重化を実行するステップであって、４つのトレースラインのグループのそれぞれのトレースラインは、前記直交波形系列用の別個の符号を含むステップをさらに含むことを特徴とする方法。
【請求項６】
請求項５に記載の方法であって、前記符号分割多重化は、マンチェスター符号化されたアダマール系列を含むことを特徴とする方法。
【請求項７】
請求項１に記載の方法であって、前記直交励起波形を求めるステップは、
変調のための第１の周波数を選択するステップと、
前記第１の周波数の近くで疑似雑音系列を生成するステップと、
前記疑似雑音系列用のキャリア信号を生成するステップと、
前記疑似雑音系列を用いて、前記第１の周波数の近くで前記キャリア信号の複数のサイクルを変調するステップと
を含むことを特徴とする方法。
【請求項８】
請求項７に記載の方法であって、前記第１の周波数は約１００ｋＨｚであり、前記キャリア信号の数は１０より少ないことを特徴とする方法。
【請求項９】
請求項７に記載の方法であって、
前記センサの雑音と関連した周波数を識別するステップと、
前記直交励起波形の少なくとも１つを前記雑音と関連した前記周波数と直交するように選択するステップと
をさらに含むことを特徴とする方法。
【請求項１０】
請求項１に記載の方法であって、求められた前記直交励起波形は、変調用周波数および前記変調用周波数における疑似雑音系列の関数であることを特徴とする方法。
【請求項１１】
請求項１に記載の方法であって、
前記センサに関連した雑音の雑音スペクトルを得るステップと、
前記センサに関連した前記雑音スペクトルを評価することにより、前記センサの雑音を測定するステップと、
前記雑音スペクトルの前記評価に基づいて前記雑音を識別するステップと、
前記センサの識別された前記雑音に対して直交する前記直交励起波形を作成することにより、前記直交励起波形を求めるステップと
をさらに含むことを特徴とする方法。
【請求項１２】
請求項１１に記載の方法であって、
連続的に測定して、時間フレームにわたって前記雑音スペクトルの最大の雑音源からの雑音を識別することにより、前記直交励起波形に対して直交する前記雑音を識別するステップと、
前記雑音スペクトルの中で連続的に識別された最大の雑音源と関連した前記雑音を用いることにより、適応して前記直交励起波形を求めるステップと
をさらに含むことを特徴とする方法。
【請求項１３】
請求項１１に記載の方法であって、
周期的に測定して、前記雑音スペクトルの最大の雑音源からの雑音を識別することにより、前記直交励起波形に対して直交する前記雑音を識別するステップと、
前記雑音スペクトルの中で周期的に識別された最大の雑音源と関連した前記雑音を用いることにより、適応して前記直交励起波形を求めるステップと
をさらに含むことを特徴とする方法。
【請求項１４】
請求項１１に記載の方法であって、識別された前記雑音は、冷陰極の蛍光性バックライトの動作周波数または液晶ディスプレイと関連した周波数と関連づけられることを特徴とする方法。
【請求項１５】
請求項１に記載の方法であって、前記センサは容量型タッチセンサを備え、前記容量型タッチセンサはフロントエンド回路を備え、
前記方法は、
前記フロントエンド回路の出力端において、前記容量型タッチセンサ向けに送信するための入力電圧を準備するステップであって、前記フロントエンド回路は少なくとも１つの２段回路を備え、第１段はトランスインピーダンス利得をもたらすように構成され、第２段は電圧利得をもたらすように構成されているステップをさらに含み、
前記入力電圧の前記準備は、
前記第１段を積分器回路として構成することにより、前記フロントエンド回路の前記第１段の前記トランスインピーダンス利得をもたらすこと、
前記入力電圧を分圧することにより、前記第１段で出力信号を生成すること、および、
前記フロントエンド回路の前記第１段の前記出力信号を前記フロントエンド回路の前記第２段の前記電圧利得で増幅し、前記フロントエンド回路の前記第２段の出力信号を生成すること
を含み、
前記第１段は、前記フロントエンド回路の前記第２段向けの前記出力信号が、前記第２段の前記電圧利得の働きによって増幅された前記第１段の雑音を含むような雑音レベルで雑音を含み、前記第２段の前記出力信号における雑音は、液晶ディスプレイの周波数または冷陰極の蛍光性バックライトの動作周波数から導出される前記センサの雑音未満であり、
前記フロントエンド回路の閉ループ伝達関数は安定したものであることを特徴とする方法。
【請求項１６】
センサを含むシステムであって、該センサは、
マトリクス構造に配向された複数のトレースラインと、
フロントエンドインターフェースと、
少なくとも１つの２段回路を含むフロントエンド回路であって、該２段回路は第１段および第２段を含み、該第１段は、第１のフィードバック抵抗およびフィードバックキャパシタに基づくトランスインピーダンス利得をもたらすように構成された第１のトランスインピーダンス増幅器を含み、該第２段は、直列に接続された抵抗および第２のフィードバック抵抗に基づく電圧利得をもたらすように構成された第２のトランスインピーダンス増幅器を含み、前記第１のフィードバック抵抗は、前記フィードバックキャパシタと並列に接続され、ある積分期間より短い時定数を与えるように構成され、前記直列に接続された抵抗は、前記第１のトランスインピーダンス増幅器と第２のトランスインピーダンス増幅器との間で、直列に接続されたキャパシタと直列に接続され、前記第２のフィードバック抵抗は、前記第２のトランスインピーダンス増幅器の入力端子と出力端子との間に接続された、フロントエンド回路と、
前記フロントエンドインターフェースに結合された複数の送信器と、
複数の受信器と
を備え、
それぞれの送信器は、それぞれのトレースラインの第１の位置に対応し、同位置に結合され、それぞれの受信器は、前記それぞれのトレースラインの第２の位置に結合され、
前記システムは、
直交波形系列を有する直交励起波形を求めることであって、該直交励起波形は互いに直交し、該直交励起波形の周波数は前記積分期間を定める、求めることと、
前記送信器のうちの少なくとも２つがそれぞれの直交波形系列を送信する構成となるように、前記送信器のうちの少なくとも２つのそれぞれで、前記直交励起波形のうちの１つを同時に送信することであって、前記送信は、前記センサのすべての送信器より少ない送信器で行われ、前記積分期間の長さは同時に送信する送信器の数が増加するにつれて増加する、送信することと、
前記直交励起波形のうちの少なくとも２つを、前記受信器のうちの少なくとも２つで受信することであって、前記少なくとも２つの直交励起波形のそれぞれは、前記それぞれの受信器のうちの１つで受信される、受信することと、
少なくとも１つの予想される受信波形に関する情報を受信することと、
前記少なくとも２つの受信器のそれぞれについて、受信した前記励起波形の、前記予想される受信波形に対する相関を取ることと
を行うように構成されていることを特徴とするシステム。
【請求項１７】
請求項１６に記載のシステムであって、前記センサは容量型タッチセンサを備え、前記直交励起波形は前記センサの雑音に対して直交することを特徴とするシステム。
【請求項１８】
請求項１６に記載のシステムであって、前記マトリクス構造はｎ列のトレースラインを備え、前記システムは、前記送信器のそれぞれの同時通信が積分時間の中で生じるように構成され、前記システムは、前記送信器のうちの少なくとも２つからの同時通信の数の関数として、積分時間の数を求めるようにさらに構成されることを特徴とするシステム。
【請求項１９】
請求項１６に記載のシステムであって、前記センサは、少なくとも液晶ディスプレイと相互作用する能力を有するように、前記液晶ディスプレイに対する物理的近傍内に配置されるように構成され、前記液晶ディスプレイは、約３０ｋＨｚから１３５ｋＨｚの走査線周波数を含むことを特徴とするシステム。
【請求項２０】
請求項１６に記載のシステムであって、前記システムは符号分割多重化を実行するように構成され、４つのトレースラインのグループのそれぞれのトレースラインは、前記直交波形系列用の別個の符号を含むことを特徴とするシステム。
【請求項２１】
請求項２０に記載のシステムであって、前記符号分割多重化は、マンチェスター符号化されたアダマール系列を含むことを特徴とするシステム。
【請求項２２】
請求項１６に記載のシステムであって、前記システムは、
変調のための第１の周波数を選択し、
前記第１の周波数の近くで疑似雑音系列を生成し、
前記疑似雑音系列用のキャリア信号を生成し、
前記疑似雑音系列を用いて、前記第１の周波数の近くで前記キャリア信号の複数のサイクルを変調する
ことによって前記直交励起波形を求めるように構成されることを特徴とするシステム。
【請求項２３】
請求項２２に記載のシステムであって、前記第１の周波数は約１００ｋＨｚであり、前記キャリア信号の数は１０より少なく、前記直列に接続されたキャパシタは６０Ｈｚで５００：１の減衰をもたらすように選択され、第２のフィードバックキャパシタは前記直交励起波形の周波数の１０倍で１０：１の減衰をもたらすように選択されることを特徴とするシステム。
【請求項２４】
請求項２２に記載のシステムであって、前記システムは、
前記センサの雑音と関連した周波数を識別し、
前記直交励起波形の少なくとも１つを、前記雑音と関連した前記周波数と直交するように選択する
ように構成されることを特徴とするシステム。
【請求項２５】
請求項１６に記載のシステムであって、求められた前記直交励起波形は、変調用周波数および前記変調用周波数における疑似雑音系列の関数であることを特徴とするシステム。
【請求項２６】
請求項１６に記載のシステムであって、前記システムは、
前記センサに関連した雑音スペクトルを取得し、
前記センサに関連した前記雑音スペクトルを評価することにより、前記センサの雑音を測定し、
前記雑音スペクトルの前記評価に基づいて前記雑音を識別し、
前記センサの識別された前記雑音に対して直交する前記直交励起波形を作成することにより、前記直交励起波形を求める
ように構成されることを特徴とするシステム。
【請求項２７】
請求項２６に記載のシステムであって、前記システムは、
連続的に測定して、時間フレームにわたって前記雑音スペクトルの最大の雑音源からの雑音を識別することにより、前記直交励起波形に対して直交する前記雑音を識別し、
前記雑音スペクトルの中で連続的に識別された最大の雑音源と関連した前記雑音を用いることにより、適応して前記直交励起波形を求める
ように構成されることを特徴とするシステム。
【請求項２８】
請求項２６に記載のシステムであって、前記システムは、
周期的に測定して、前記雑音スペクトルの最大の雑音源からの雑音を識別することにより、前記直交励起波形に対して直交する前記雑音を識別し、
前記雑音スペクトルの中で周期的に識別された最大の雑音源と関連した前記雑音を用いることにより、適応して前記直交励起波形を求めるように構成されることを特徴とするシステム。
【請求項２９】
請求項２６に記載のシステムであって、前記システムは、冷陰極の蛍光性バックライトまたは液晶ディスプレイを備え、識別された前記雑音は、前記冷陰極の蛍光性バックライトの動作周波数または前記液晶ディスプレイと関連した周波数と関連づけられることを特徴とするシステム。
【請求項３０】
請求項１６に記載のシステムであって、前記センサは容量型タッチセンサを備え、前記容量型タッチセンサは前記フロントエンド回路を備え、
前記システムは、
前記フロントエンド回路の出力端において、前記容量型タッチセンサ向けに送信するための入力電圧を準備するようにさらに構成され、前記フロントエンド回路の前記第２段は前記電圧利得をもたらすように構成され、
前記入力電圧の前記準備は、
前記第１段を積分器回路として構成することにより、前記フロントエンド回路の前記第１段の前記トランスインピーダンス利得をもたらすこと、
前記入力電圧を分圧することにより、前記第１段で出力信号を生成すること、および、
前記フロントエンド回路の前記第１段の前記出力信号を前記フロントエンド回路の前記第２段の前記電圧利得で増幅して、前記フロントエンド回路の前記第２段の出力信号を生成すること
を含み、
前記第１段は、前記フロントエンド回路の前記第２段向けの前記出力信号が、前記第２段の前記電圧利得の働きによって増幅された前記第１段の雑音を含むような雑音レベルで雑音を含み、前記第２段の前記出力信号における雑音は、液晶ディスプレイの周波数または冷陰極の蛍光性バックライトの動作周波数から導出される前記センサの雑音未満であり、
前記フロントエンド回路の閉ループ伝達関数は安定したものである
ことを特徴とするシステム。
【請求項３１】
センサを含むシステムであって、該センサは、
マトリクス構造に配向された複数のトレースラインと、
フロントエンドインターフェースと、
前記フロントエンドインターフェースに結合された複数の送信器と、
複数の受信器と
を備え、
それぞれの送信器は、それぞれのトレースラインの第１の位置に対応し、同位置に結合され、それぞれの受信器は、前記それぞれのトレースラインの第２の位置に結合され、
前記センサは、さらに、
手段であって、
直交波形系列を有する直交励起波形を求めることであって、該求めることは、前記センサに関連した雑音スペクトラムを得ることと、前記センサに関連した前記雑音スペクトラムを評価することにより前記センサの雑音を測定することとを含み、前記直交励起波形は互いに且つ前記前記センサの前記雑音に対して直交する、求めることと、
前記雑音スペクトルの前記評価に基づいて前記雑音を識別することと、
前記センサの識別された前記雑音に対して直交する前記直交励起波形を作成することにより、前記直交励起波形を求めることと
を行うための手段と、
積分時間に等しい時間、前記送信器のうちの少なくとも２つがそれぞれの直交波形系列を送信する構成となるように、前記送信器のうちの少なくとも２つのそれぞれで、前記直交励起波形のうちの１つを同時に送信するための手段であって、前記送信は前記センサのすべての送信器より少ない送信器で行なわれ、前記積分時間の長さは前記直交励起波形のうちの前記１つを同時に送信する送信器の数に基づき求められ、前記積分時間の前記長さは同時に送信する送信器の前記数が増加するにつれ増加する、手段と、
前記直交励起波形のうちの少なくとも２つを、前記受信器のうちの少なくとも２つで受信するための手段であって、前記少なくとも２つの直交励起波形のそれぞれは、前記それぞれの受信器のうちの１つで受信される、手段と、
少なくとも１つの予想される受信波形に関する情報を受信するための手段と、
前記少なくとも２つの受信器のそれぞれについて、受信した前記励起波形の、前記予想される受信波形に対する相関を取るための手段と
を備えることを特徴とするシステム。
【請求項３２】
請求項１に記載の方法であって、前記センサは容量型タッチセンサを備えることを特徴とする方法。